Podtech/llm-jp-corpus-v4-ja_patent huggingface dataset:
【手続補正書】
【提出日】平成22年9月22日(2010.9.22)
【手続補正１】
【補正対象書類名】特許請求の範囲
【補正対象項目名】全文
【補正方法】変更
【補正の内容】
【特許請求の範囲】
【請求項１】
建物の上層階と下層階との間にエスカレータ本体を架設して設置されたエスカレータ装置であって、
上記エスカレータ本体は、その一端部が上記上層階および上記下層階の一方の乗降部に鉛直軸周りに回動自在に支持され、かつその他端部が該上層階および該下層階の他方の乗降部に該鉛直軸を中心とする円弧状に延設された走行路に走行可能に支持されて、該上層階と該下層階との間に架設され、
上記エスカレータ本体を上記鉛直軸周りに回動させる駆動手段が、上記一方の乗降部に設置され、
閉塞機構が、上記エスカレータ本体の回動動作に連動して、上記走行路の全領域を閉塞可能に設置されていることを特徴とするエスカレータ装置。
【請求項２】
上記閉塞機構は、
上記走行路に開口して、該走行路の延設方向の両側に延在するように上記他方の乗降部に形成された一対の格納庫と、
それぞれ上記鉛直軸を中心とする円弧状に形成され、上記一対の格納庫のそれぞれに出没自在に格納され、該格納庫からの延出端を上記エスカレータ本体の他端部に連結され、該エスカレータ本体の回動動作に連動して該格納庫から出没して、上記走行路の全領域を閉塞する一対の閉塞板と、を備えていることを特徴とする請求項１記載のエスカレータ装置。
【請求項３】
上記閉塞機構は、上記エスカレータ本体の他端部の両端と上記走行路の両端との間に連結され、該走行路を閉塞する蛇腹式の閉塞具であることを特徴とする請求項１記載のエスカレータ装置。
【手続補正２】
【補正対象書類名】明細書
【補正対象項目名】０００６
【補正方法】変更
【補正の内容】
【０００６】
この発明によるエスカレータ装置は、建物の上層階と下層階との間にエスカレータ本体を架設して設置されたエスカレータ装置であって、上記エスカレータ本体は、その一端部が上記上層階および上記下層階の一方の乗降部に鉛直軸周りに回動自在に支持され、かつその他端部が該上層階および該下層階の他方の乗降部に該鉛直軸を中心とする円弧状に延設された走行路に走行可能に支持されて、該上層階と該下層階との間に架設され、上記エスカレータ本体を上記鉛直軸周りに回動させる駆動手段が、上記一方の乗降部に設置され、閉塞機構が、上記エスカレータ本体の回動動作に連動して、上記走行路の全領域を閉塞可能に設置されているものである。
【手続補正書】
【提出日】平成21年12月7日(2009.12.7)
【手続補正１】
【補正対象書類名】特許請求の範囲
【補正対象項目名】全文
【補正方法】変更
【補正の内容】
【特許請求の範囲】
【請求項１】
印刷データを処理して電子文書の印刷バージョンを生成させるように構成された印刷プロセスを有する印刷装置であって、
通信ネットワークを介して、第１の電子文書の少なくとも一部を表す第１の印刷データを受信し、
第１の印刷データの前記１つ以上の部分をラスタライズすることにより前記第１の印刷データの少なくとも１つの処理時間を決定し、
前記第１の印刷データの１つ以上の部分を処理する時間に基づき、前記第１の電子文書の処理時間を予測し、
１つ以上の追加的電子文書を表す１つ以上の追加的印刷データを有する処理キューに前記第１の印刷データを配置し、
前記第１の電子文書の予測処理時間と前記１つ以上の追加的電子文書の１つ以上の予測処理時間とに基づき、前記処理キュー中の前記印刷データと前記１つ以上の追加的印刷データを並べ直すように構成されている印刷装置。
【請求項２】
印刷データを処理して電子文書の印刷バージョンを生成させるように構成された印刷プロセスを有する印刷装置であって、
通信ネットワークを介して、第１の電子文書の少なくとも一部を表す第１の印刷データを受信し、
前記第１の電子文書の処理時間を予測し、
１つ以上の追加的電子文書を表す１つ以上の追加的印刷データを有する処理キューに前記第１の印刷データを配置し、
前記第１の電子文書の予測処理時間と前記１つ以上の追加的電子文書の１つ以上の予測処理時間とに基づき、前記処理キュー中の前記印刷データと前記１つ以上の追加的印刷データを並べ直すように構成されている印刷装置。
【請求項３】
前記第１の印刷データが前記処理キュー中にあった時間の長さと前記１つ以上の追加的印刷データが前記処理キュー中にあった時間の長さに基づき、前記処理キュー中の前記第１の印刷データと前記１つ以上の追加的印刷データを並べ直すようにさらに構成された、請求項２に記載の印刷装置。
【請求項４】
前記処理キュー中の前記第１の印刷データと前記１つ以上の印刷データのうち少なくとも１つの印刷データの指定された優先度に基づき、前記処理キュー中の前記第１の印刷データと前記１つ以上の追加的印刷データを並べ直すようにさらに構成された、請求項２に記載の印刷装置。
【請求項５】
前記通信ネットワークを介して、前記第１のデータを受信したクライアント装置から、前記指定された優先度を示すデータを受信するようにさらに構成されている、請求項４に記載の印刷装置。
【請求項６】
前記指定された優先度を示すデータは、前記クライアント装置において少なくとも前記印刷データの優先度をユーザが要求したことに応答して、前記通信ネットワークを介して、前記クライアント装置から送信される、請求項５に記載の印刷装置。
【請求項７】
前記第１の電子文書の予測処理時間を示すデータをクライアント装置に提供するようにさらに構成されている、請求項２に記載の印刷装置。
【請求項８】
前記処理キュー中の前記第１の印刷データの位置と前記第１の電子文書の予測処理時間とを示すデータをクライアント装置に提供するようにさらに構成されている、請求項２に記載の印刷装置。
【請求項９】
請求項２に記載の印刷装置であって、
前記第１の印刷データの１つ以上の部分を処理する時間を決定し、
前記第１の印刷データの前記１つ以上の部分の処理時間に基づき、前記第１の電子文書を表す前記第１の印刷データの全ての部分の予測処理時間を計算することにより、前記第１の印刷データの予測処理時間を決定するようにさらに構成されている印刷装置。
【請求項１０】
前記処理キューから印刷データを選択し、前記選択された印刷データを印刷プロセスにより処理させるようにさらに構成されている、請求項２に記載の印刷装置。
【請求項１１】
前記処理キュー中の前記印刷データの順序に基づき、前記処理キューから印刷データを選択する、請求項１０に記載の印刷装置。
【請求項１２】
印刷データを処理して電子文書の印刷バージョンを生成させるように構成された印刷プロセスを有する印刷装置であって、
通信ネットワークを介して、クライアント装置から第１の電子文書の少なくとも一部を表す印刷データを受信し、
前記第１の電子文書の処理時間を予測し、
前記電子文書の予測処理時間を示すデータを前記クライアントに提供する印刷装置。
【請求項１３】
請求項１２に記載の印刷装置であって、
前記第１の印刷データの１つ以上の部分の処理時間を決定し、
前記第１の印刷データの前記１つ以上の部分の処理時間に基づき、前記第１の電子文書を表す前記第１の印刷データの全ての部分の予測処理時間を計算することにより、前記第１の印刷データの予測処理時間を決定するようにさらに構成されている印刷装置。
【請求項１４】
前記第１の印刷データの１つ以上の部分の処理時間の決定は、前記電子文書を表す前記第１の印刷データの前記１つ以上の部分のラスタライズを含む、請求項１３に記載の印刷装置。
【請求項１５】
請求項１２に記載の印刷装置であって、さらに、
１つ以上の追加的電子文書を表す１つ以上の追加的印刷データを有する処理キューを有し、
前記印刷装置は、
前記第１の印刷データを前記処理キューに配置し、
前記第１の電子文書の予測処理時間と前記１つ以上の追加的電子文書の１つ以上の予測処理時間とに基づいて前記処理キューを並べ直すようにさらに構成されている、印刷装置。
【請求項１６】
前記処理キュー中の前記第１の印刷データの位置を示すデータをクライアント装置に提供するようにさらに構成されている、請求項１５に記載の印刷装置。
【請求項１７】
請求項１２に記載の印刷装置であって、
前記処理キュー中前記印刷データの順序に基づき前記処理キューから印刷データを選択し、
前記印刷プロセスにより前記選択した印刷データを処理させるようにさらに構成されている印刷装置。
【手続補正書】
【提出日】平成22年1月7日(2010.1.7)
【手続補正１】
【補正対象書類名】特許請求の範囲
【補正対象項目名】全文
【補正方法】変更
【補正の内容】
【特許請求の範囲】
【請求項１】
データページをホログラフィック記録媒体に記録する方法であって、
空間光変調器を用いて光ビームを変調して、記録されるデータを伴うデータページを生成し、
再構成された前記データページのコントラスト変化を低減するために、記録時に補正プロファイルを該データページに適用する
というステップを有し、
前記補正プロファイルが、既に記録されたホログラムの記録位置での時間的及び空間的履歴と、記録されたホログラムがホログラフィック記録媒体の材料の感度に及ぼす影響とから決定される
ことを特徴とする方法。
【請求項２】
前記補正プロファイルが、１つ又はそれ以上のテストホログラムを連続的に書き込む及び読み込むことにより、並びに前記補正プロファイルを調整することにより決定されることを特徴とする請求項１に記載の方法。
【請求項３】
前記補正プロファイルが、前記光ビームのプロファイルの少なくとも１つと、光学的配置に起因するコントラストの不均一性とを考慮に入れることを特徴とする請求項１又は２に記載の方法。
【請求項４】
前記補正プロファイルが、前記空間光変調器によって、前記データページに適用されることを特徴とする請求項１から３のいずれか１項に記載の方法。
【請求項５】
前記補正プロファイルが、更なる空間光変調器によって、前記データページに適用されることを特徴とする請求項１から３のいずれか１項に記載の方法。
【請求項６】
前記補正プロファイルが、フィルタによって、前記データページに適用されることを特徴とする請求項１から３のいずれか１項に記載の方法。
【請求項７】
前記フィルタが、該フィルタの断面の少なくとも一部において単調に増加する光透過係数を有していることを特徴とする請求項６に記載の方法。
【請求項８】
前記補正プロファイルが、前記データページの画素の輝度を変調することにより適用されることを特徴とする請求項４から６のいずれか１項に記載の方法。
【請求項９】
ホログラフィック記録媒体に記録されるデータに従って光ビームを変調する空間光変調器を伴い、
再構成されたデータページのコントラスト変化を低減するために、記録時に、補正プロファイルを該データページに適用するコントラスト変化補正器を備えており、
前記補正プロファイルが、既に記録されたホログラムの記録位置での時間的及び空間的履歴と、記録されたホログラムがホログラフィック記録媒体の材料の感度に及ぼす影響とから決定される
ことを特徴とする、ホログラフィック記録媒体に対して読み出し及び／又は書き込みを行う装置。
【請求項１０】
前記コントラスト変化補正器が、前記空間光変調器、更なる空間光変調器、又はフィルタであることを特徴とする請求項９に記載の装置。
【請求項１１】
前記フィルタが、該フィルタの断面の少なくとも一部において単調に増加する光透過係数を有していることを特徴とする請求項１０に記載の装置。
【手続補正書】
【提出日】平成21年12月21日(2009.12.21)
【手続補正１】
【補正対象書類名】特許請求の範囲
【補正対象項目名】全文
【補正方法】変更
【補正の内容】
【特許請求の範囲】
【請求項１】
トナー像を担持する像担持体と、前記像担持体に接触し、電圧が印加されて前記像担持体上のトナー像を転写材へ転写し、温度が高くなると抵抗値が低くなる接触転写部材と、前記接触転写部材の前記抵抗値が変化するように、前記接触転写部材を加熱もしくは冷却する抵抗値変更手段とを備えて、
前記転写材の抵抗値が高くなると、前記抵抗値変更手段は前記接触転写部材の温度を低くして、前記接触転写部材の抵抗値を高くするモードを実行することを特徴とする画像形成装置。
【請求項２】
前記抵抗値変更手段は、前記接触転写部材に接触して前記接触転写部材を冷却する冷却部材と、前記接触転写部材に接触して前記接触転写部材を加熱する加熱部材を備えることを特徴とする請求項１の画像形成装置。
【請求項３】
トナー像を担持する像担持体と、前記像担持体に接触し、電圧が印加されて前記像担持体上のトナー像を転写材へ転写し、温度が高くなると抵抗値が低くなる接触転写部材と、前記接触転写部材の前記抵抗値が変化するように、前記接触転写部材を加熱もしくは冷却する抵抗値変更手段とを備えて、
前記転写材が厚くなると、前記抵抗値変更手段は前記接触転写部材の温度を低くして、前記接触転写部材の抵抗値を高くするモードを実行することを特徴とする画像形成装置。
【請求項４】
前記抵抗値変更手段は、前記接触転写部材に接触して前記接触転写部材を冷却する冷却部材と、前記接触転写部材に接触して前記接触転写部材を加熱する加熱部材を備えることを特徴とする請求項３の画像形成装置。
【請求項５】
トナー像を担持する像担持体と、前記像担持体に接触し、電圧が印加されて前記像担持体上のトナー像を転写材へ転写し、温度が高くなると抵抗値が低くなる接触転写部材と、前記接触転写部材の前記抵抗値が変化するように、前記接触転写部材を加熱もしくは冷却する抵抗値変更手段とを備えて、
前記トナー像が転写される際に前記転写材が移動する方向に直交する方向における、前記転写材の長さが短いと、前記抵抗値変更手段は前記接触転写部材の温度を低くして、前記接触転写部材の抵抗値を高くするモードを実行することを特徴とする画像形成装置。
【請求項６】
前記抵抗値変更手段は、前記接触転写部材に接触して前記接触転写部材を冷却する冷却部材と、前記接触転写部材に接触して前記接触転写部材を加熱する加熱部材を備えることを特徴とする請求項５の画像形成装置。
【手続補正書】
【提出日】平成21年12月28日(2009.12.28)
【手続補正１】
【補正対象書類名】特許請求の範囲
【補正対象項目名】全文
【補正方法】変更
【補正の内容】
【特許請求の範囲】
【請求項１】
データ線及び前記データ線に接続されている複数の画素を有する表示装置に搭載され、前記データ線を駆動する装置であり、
複数の階調電圧を生成する階調電圧生成部、
前記複数の階調電圧の中から出力電圧を選択する電圧選択部、
前記電圧選択部の出力電圧を所定の割合で増幅する電圧レベル変換部、
前記電圧レベル変換部を所定期間、前記電圧選択部と前記データ線との間に接続する第１スイッチング部及び
前記第１スイッチング部が前記電圧レベル変換部を前記電圧選択部と前記データ線との両方から分離している期間に、前記電圧選択部と前記データ線との間を直接接続する第２スイッチング部を有する表示装置の駆動装置。
【請求項２】
前記電圧選択部が、外部から入力される映像データに基づいて前記出力電圧を決める請求項１に記載の表示装置の駆動装置。
【請求項３】
前記電圧選択部がデジタル−アナログ変換器を有する請求項２に記載の表示装置の駆動装置。
【請求項４】
前記第２スイッチング部が、前記電圧選択部と前記データ線とのそれぞれに入出力端子が接続されているトランジスタを有する請求項１に記載の表示装置の駆動装置。
【請求項５】
前記第１スイッチング部が、
前記電圧レベル変換部を前記電圧選択部に接続する第１スイッチングトランジスタ及び
前記電圧レベル変換部を前記データ線に接続する第２スイッチングトランジスタを有する請求項１に記載の表示装置の駆動装置。
【請求項６】
前記電圧レベル変換部が、
前記第１スイッチングトランジスタの出力端子に接続された制御端子と、前記第２スイッチングトランジスタの入力端子に接続された出力端子とを含む駆動トランジスタを有する請求項５に記載の表示装置の駆動装置。
【請求項７】
前記第１スイッチング部が、前記駆動トランジスタの入力端子に対して第１電圧を印加する増幅スイッチングトランジスタをさらに有する請求項６に記載の表示装置の駆動装置。
【請求項８】
前記電圧レベル変換部が、前記駆動トランジスタの出力端子に対し、前記第１電圧より低い第２電圧を印加するバイアストランジスタをさらに有する請求項７に記載の表示装置の駆動装置。
【請求項９】
前記駆動トランジスタのしきい値電圧の変動を補償するしきい値電圧補償部をさらに有する請求項６に記載の表示装置の駆動装置。
【請求項１０】
前記第１スイッチング部が遮断状態である期間に前記しきい値電圧補償部が動作する請求項９に記載の表示装置の駆動装置。
【請求項１１】
前記しきい値電圧補償部が、
前記駆動トランジスタの制御端子と前記第１スイッチングトランジスタとの間に接続されているキャパシタ、
前記駆動トランジスタの入力端子に対して第１電圧を印加する第１補償トランジスタ、
前記駆動トランジスタの入力端子と制御端子との間を接続する第２補償トランジスタ及び
前記第１スイッチングトランジスタの出力端子と前記駆動トランジスタの出力端子との間を接続する第３補償トランジスタを有する請求項９に記載の表示装置の駆動装置。
【手続補正書】
【提出日】平成21年12月11日(2009.12.11)
【手続補正１】
【補正対象書類名】特許請求の範囲
【補正対象項目名】全文
【補正方法】変更
【補正の内容】
【特許請求の範囲】
【請求項１】
複数のオリフィスが形成されたオリフィスユニットを備える配向液噴射ユニットと、
前記複数のオリフィスを制御するための複数の制御ユニットと、を有するインクジェットヘッドを備え、
前記複数の制御ユニットのそれぞれは、前記複数のオリフィスのそれぞれに対応し、
前記オリフィスのそれぞれは、配向液を吹き付けるための複数の配向液噴射流路と、該配向液噴射流路のそれぞれの端部に穿設された複数の配向液噴射孔とを有することを特徴とする配向膜の印刷装置。
【請求項２】
前記配向液噴射ユニットは、配向液を前記複数のオリフィスに供給するために複数の配向液供給流路が形成されたインク供給ユニットをさらに備えることを特徴とする請求項１に記載の配向膜の印刷装置。
【請求項３】
前記制御ユニットのそれぞれは、圧電素子を備えることを特徴とする請求項２に記載の配向膜の印刷装置。
【請求項４】
前記制御ユニットのそれぞれは、前記複数の圧電素子に印加される電圧を調節するための複数の可変抵抗をさらに備えることを特徴とする請求項３に記載の配向膜の印刷装置。
【請求項５】
前記複数の圧電素子は、前記インク供給ユニットの上に配置され、インク供給ユニットは前記オリフィスユニットの上に配置されることを特徴とする請求項３に記載の配向膜の印刷装置。
【請求項６】
前記インク供給ユニットは、前記圧電素子の移動経路が設けられた第１の配向液供給部材と、
所定のサイズの前記配向液供給流路が形成された第２の配向液供給部材と、
所定のサイズの前記配向液供給流路が形成された第３の配向液供給部材と、を備えることを特徴とする請求項５に記載の配向膜の印刷装置。
【請求項７】
前記オリフィスのそれぞれは、前記配向液供給流路に接続される流路をさらに備え、前記複数の配向液噴射流路は、前記流路から分岐されることを特徴とする請求項３に記載の配向膜の印刷装置。
【請求項８】
前記複数の配向液噴射流路の一部は、直角に折り曲げられてなることを特徴とする請求項７に記載の配向膜の印刷装置。
【請求項９】
前記複数の配向液噴射流路の一部は、前記配向液の噴射方向に対して所定の角度だけ傾斜して設けられていることを特徴とする請求項７に記載の配向膜の印刷装置。
【請求項１０】
前記複数の配向液噴射孔は、所定の間隔を隔てて形成され、前記所定の間隔は２５０μｍ〜３７５μｍであることを特徴とする請求項１に記載の配向膜の印刷装置。
【手続補正２】
【補正対象書類名】明細書
【補正対象項目名】発明の名称
【補正方法】変更
【補正の内容】
【発明の名称】配向膜の印刷装置
【手続補正３】
【補正対象書類名】明細書
【補正対象項目名】０００１
【補正方法】変更
【補正の内容】
【０００１】
本発明は配向膜の印刷装置に関し、さらに詳しくは、配向膜の厚さの均一性を保証するための構造を有するインクジェットヘッド付き配向膜の印刷装置に関する。
【手続補正４】
【補正対象書類名】明細書
【補正対象項目名】０００８
【補正方法】変更
【補正の内容】
【０００８】
そこで、本発明は上記従来の配向膜の印刷装置における問題点に鑑みてなされたものであって、本発明の目的は、配向膜同士の厚さ差による縞模様むらの形成を防ぐことのできる配向膜の印刷装置を提供することにある。
【手続補正５】
【補正対象書類名】明細書
【補正対象項目名】００１０
【補正方法】変更
【補正の内容】
【００１０】
前記配向液噴射ユニットは、配向液を前記複数のオリフィスに供給するために複数の配向液供給流路が形成されたインク供給ユニットをさらに備えることが好ましい。
前記制御ユニットのそれぞれは、圧電素子を備えることが好ましい。
前記制御ユニットのそれぞれは、前記複数の圧電素子に印加される電圧を調節するための複数の可変抵抗をさらに備えることが好ましい。
前記複数の圧電素子は、前記インク供給ユニットの上に配置され、インク供給ユニットは前記オリフィスユニットの上に配置されることが好ましい。
前記インク供給ユニットは、前記圧電素子の移動経路が設けられた第１の配向液供給部材と、所定のサイズの前記配向液供給流路が形成された第２の配向液供給部材と、所定のサイズの前記配向液供給流路が形成された第３の配向液供給部材とを備えることが好ましい。
前記オリフィスのそれぞれは、前記配向液供給流路に接続される流路をさらに備え、前記複数の配向液噴射流路は、前記流路から分岐されることが好ましい。
前記複数の配向液噴射流路の一部は、直角に折り曲げられてなることが好ましい。
前記複数の配向液噴射流路の一部は、前記配向液の噴射方向に対して所定の角度だけ傾斜して設けられていることが好ましい。
前記複数の配向液噴射孔は、所定の間隔を隔てて形成され、前記所定の間隔は２５０μｍ〜３７５μｍであることが好ましい。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】変更
【補正の内容】
【００１３】
本発明に係る配向膜の印刷装置によれば、配向膜同士の厚さ差がほとんど発生せず、配向膜が均一に塗布されて、厚さ差による縦のスジムラがほとんど発生しなくなるという効果を奏する。
【誤訳訂正書】
【提出日】平成22年10月20日(2010.10.20)
【誤訳訂正１】
【訂正対象書類名】明細書
【訂正対象項目名】００２９
【訂正方法】変更
【訂正の内容】
【００２９】
空気力学的スイープは、圧縮機翼形部の性能を評価するための一般的なパラメータである。本発明の別の特徴によれば、翼形部１２の前縁と後縁の間の空気力学的アフトスイープを制限する手段が提供される。アフトスイープは、逆に失速マージンに悪影響を及ぼすことがあり、選択的にアフトスイープを制限すると失速マージンを高めることができる。図３に示す翼形部１２のアフトスイープは、選択的に軸方向積重ね軸３６ｂを湾曲させ、また選択的に複数の横断面の翼弦の配置を変化させることによって制限できる。
【誤訳訂正２】
【訂正対象書類名】明細書
【訂正対象項目名】００３０
【訂正方法】変更
【訂正の内容】
【００３０】
例えば、アフトスイープは、翼形部前縁２６が先端２４と軸方向で共通する面上にある半径方向外側部分つまり外側部分をもつよう形成することで制限できる。さらに、前縁２６の残りの半径方向内側部分つまり内側部分は、外側部分から根元２２にかけて軸方向前方に傾斜する。
【誤訳訂正３】
【訂正対象書類名】明細書
【訂正対象項目名】００３３
【訂正方法】変更
【訂正の内容】
【００３３】
空気力学的アフトスイープは、翼形部後縁２８を図３に示すように選択的に形成することでさらに制限できる。対応する翼弦長と共に軸方向の積重ね軸３６ｂは、後縁形状の制限に用いることができる。図３に示す好ましい実施形態において、後縁２８は、根元２２を含む、軸方向で共通する面上にある内側部分と、内側部分から先端２４まで軸方向前方に傾斜する外側部分とを有する。
【手続補正書】
【提出日】平成21年12月16日(2009.12.16)
【手続補正１】
【補正対象書類名】明細書
【補正対象項目名】００８７
【補正方法】変更
【補正の内容】
【００８７】
以上説明したように、本発明は、感光体ドラム上に濃度参照用のパッチ画像を作像し、その画像濃度を画像濃度センサにより検知して該結果を用いてトナー補給制御する方式（パッチ検ＡＴＲ）において、次の特徴を有する。つまり、本発明では、通常画像形成時に比べてレーザ強度を落として潜像形成した中間調濃度のパッチ画像を用いる。このために、パッチ濃度が現像装置内のトリボをより良く反映するようになり、従って、現像装置内のトナーのトリボを適正且つ安定に制御することが出来る。
【手続補正書】
【提出日】平成21年12月18日(2009.12.18)
【手続補正１】
【補正対象書類名】特許請求の範囲
【補正対象項目名】全文
【補正方法】変更
【補正の内容】
【特許請求の範囲】
【請求項１】
複数の電子放出素子が配置されているリアプレートと、
前記複数の電子放出素子にそれぞれ対応付けられた複数の発光領域が配置されているフェースプレートと、
前記リアプレートと前記フェースプレートとの間に配置されるスペーサと、
入力された画像データを補正し、該補正された画像データに基づいて前記電子放出素子を駆動する駆動回路と、を有し、
前記発光領域の発光量が、対応する電子放出素子から照射される電子の量と周囲の発光領域から入射する電子の量の影響を受ける画像表示装置において、
前記駆動回路は、
入力された画像データを輝度に対してリニアな信号に近づける補正をすることにより輝度信号を得る逆ガンマ変換回路と、
前記輝度信号を当該輝度信号が指定する輝度を得るために必要な電荷量に対してリニアな信号である電荷信号に変換した後、当該電荷信号を用いて、前記周囲の発光領域から入射する電子の一部が前記スペーサに遮られることにより注目する電子放出素子に対応する発光領域の発光量が減少する場合の、その発光量の減少分に相当する評価値を算出する算出回路と、
注目する電子放出素子の前記輝度信号と当該電子放出素子に対応する発光領域の色とに応じて調整ゲインを算出し、前記評価値に前記調整ゲインを掛けて補正値を動的に算出する調整回路と、
注目する電子放出素子の前記輝度信号に前記補正値を加算する補正値加算回路と、
を有することを特徴とする画像表示装置。
【請求項２】
複数の電子放出素子が配置されているリアプレートと、
前記複数の電子放出素子にそれぞれ対応付けられた複数の発光領域が配置されているフェースプレートと、
前記リアプレートと前記フェースプレートとの間に配置されるスペーサと、
入力された画像データを補正し、該補正された画像データに基づいて前記電子放出素子を駆動する駆動回路と、を有し、
前記発光領域の発光量が、対応する電子放出素子から照射される電子の量と周囲の発光領域から入射する電子の量の影響を受ける画像表示装置において、
前記駆動回路は、
入力された画像データが指定する輝度を得るために前記電子放出素子から放出すべき電荷量に対してリニアな信号である電荷信号を得る蛍光体飽和補正回路と、
前記電荷信号を用いて、前記周囲の発光領域から入射する電子の一部が前記スペーサに遮られることにより注目する電子放出素子に対応する発光領域の発光量が減少する場合の、その発光量の減少分に相当する評価値を算出する算出回路と、
前記電荷信号を輝度に対してリニアな信号に近づける補正をすることにより輝度信号に変換し、注目する電子放出素子の該輝度信号と当該電子放出素子に対応する発光領域の色とに応じて調整ゲインを算出し、前記評価値に前記調整ゲインを掛けて補正値を動的に算出する調整回路と、
注目する電子放出素子の前記電荷信号に前記補正値を加算する補正値加算回路と、
を有することを特徴とする画像表示装置。
【請求項３】
前記調整回路は、前記発光領域の色が同じ場合に、注目する電子放出素子の前記輝度信号により示される輝度が大きくなるほど、前記調整ゲインを小さく算出することを特徴とする請求項１又は２に記載の画像表示装置。
【手続補正２】
【補正対象書類名】明細書
【補正対象項目名】００１１
【補正方法】変更
【補正の内容】
【００１１】
本発明は上記目的を達成するために、複数の電子放出素子が配置されているリアプレートと、前記複数の電子放出素子にそれぞれ対応付けられた複数の発光領域が配置されているフェースプレートと、前記リアプレートと前記フェースプレートとの間に配置されるスペーサと、入力された画像データを補正し、該補正された画像データに基づいて前記電子放出素子を駆動する駆動回路と、を有し、前記発光領域の発光量が、対応する電子放出素子から照射される電子の量と周囲の発光領域から入射する電子の量の影響を受ける画像表示装置において、前記駆動回路は、入力された画像データを輝度に対してリニアな信号に近づける補正をすることにより輝度信号を得る逆ガンマ変換回路と、前記輝度信号を当該輝度信号が指定する輝度を得るために必要な電荷量に対してリニアな信号である電荷信号に変換した後、当該電荷信号を用いて、前記周囲の発光領域から入射する電子の一部が前記スペーサに遮られることにより注目する電子放出素子に対応する発光領域の発光量が減少する場合の、その発光量の減少分に相当する評価値を算出する算出回路と、注目する電子放出素子の前記輝度信号と当該電子放出素子に対応する発光領域の色とに応じて調整ゲインを算出し、前記評価値に前記調整ゲインを掛けて補正値を動的に算出する調整回路と、注目する電子放出素子の前記輝度信号に前記補正値を加算する補正値加算回路とを有することを特徴とする。
【手続補正３】
【補正対象書類名】明細書
【補正対象項目名】００１２
【補正方法】変更
【補正の内容】
【００１２】
また、本発明は、複数の電子放出素子が配置されているリアプレートと、前記複数の電子放出素子にそれぞれ対応付けられた複数の発光領域が配置されているフェースプレートと、前記リアプレートと前記フェースプレートとの間に配置されるスペーサと、入力された画像データを補正し、該補正された画像データに基づいて前記電子放出素子を駆動する
駆動回路と、を有し、前記発光領域の発光量が、対応する電子放出素子から照射される電子の量と周囲の発光領域から入射する電子の量の影響を受ける画像表示装置において、前記駆動回路は、入力された画像データが指定する輝度を得るために前記電子放出素子から放出すべき電荷量に対してリニアな信号である電荷信号を得る蛍光体飽和補正回路と、前記電荷信号を用いて、前記周囲の発光領域から入射する電子の一部が前記スペーサに遮られることにより注目する電子放出素子に対応する発光領域の発光量が減少する場合の、その発光量の減少分に相当する評価値を算出する算出回路と、前記電荷信号を輝度に対してリニアな信号に近づける補正をすることにより輝度信号に変換し、注目する電子放出素子の該輝度信号と当該電子放出素子に対応する発光領域の色とに応じて調整ゲインを算出し、前記評価値に前記調整ゲインを掛けて補正値を動的に算出する調整回路と、注目する電子放出素子の前記電荷信号に前記補正値を加算する補正値加算回路と、を有することを特徴とする。
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正書】
【提出日】平成21年11月19日(2009.11.19)
【手続補正１】
【補正対象書類名】明細書
【補正対象項目名】００８０
【補正方法】変更
【補正の内容】
【００８０】
本発明のポジ型感光性樹脂組成物には、露光部において、露光によって発生した酸成分を適度に安定化させる目的で光酸発生剤塩を含有してもよい。光酸発生剤塩としてはスルホニウム塩、ホスホニウム塩、ジアゾニウム塩が好ましい。環境上の観点およびポジ型感光性樹脂組成物から得られる膜の色調も考慮する必要があることから、これらの中ではスルホニウム塩が好ましく用いられる。
【手続補正２】
【補正対象書類名】明細書
【補正対象項目名】０１５３
【補正方法】変更
【補正の内容】
【０１５３】
【表１】
2008158263.tif 000001
【手続補正書】
【提出日】平成21年12月18日(2009.12.18)
【手続補正１】
【補正対象書類名】特許請求の範囲
【補正対象項目名】全文
【補正方法】変更
【補正の内容】
【特許請求の範囲】
【請求項１】
少なくとも結着樹脂、ワックス、着色剤を含有するトナー粒子と、無機微粉体を含有するトナーにおいて、
該結着樹脂はスチレン系樹脂であり、２５℃温度でメタノール及び水の混合溶媒に対するトナーの濡れ性を７８０ｎｍの波長の光の透過率で測定した場合、透過率が８０％のときのメタノール濃度をＤ25体積％とし、４０℃温度でメタノール及び水の混合溶媒に対するトナーの濡れ性を７８０ｎｍの波長の光の透過率で測定した場合、透過率が８０％のときのメタノール濃度をＤ40体積％としたとき、０．０１≦Ｄ25−Ｄ40≦３．００であり、１．００≦Ｄ25≦６０．００を満たすことを特徴とするトナー。
【請求項２】
前記トナー中トナーのテトラヒドロフランＴＨＦ可溶分のゲルパーミッションクロマトグラフィー（ＧＰＣ）により測定される分子量分布のチャートにおいて、メインピークの分子量（Ｍ１）の高さをＨ（Ｍ１）、分子量４０００の高さをＨ（４０００）としたとき、Ｈ（４０００）：Ｈ（Ｍ１）＝（０．１００〜０．９５０）：１．０００を満足することを特徴とする請求項１に記載のトナー。
【請求項３】
前記トナー中のＴＨＦ可溶分のＧＰＣにより測定される分子量分布において、分子量３００〜２５００の領域の積分値（Ｓ１）と、分子量２５００〜１５０００の積分値（Ｓ２）と、分子量１５０００〜分子量１００万の積分値（Ｓ３）との比が、Ｓ１：Ｓ２：Ｓ３＝（０．０１〜０．９５）：１．００：（１．００〜８．００）であることを特徴とする請求項１又は２に記載のトナー。
【手続補正２】
【補正対象書類名】明細書
【補正対象項目名】００３４
【補正方法】変更
【補正の内容】
【００３４】
また、本発明においては、トナー中のＴＨＦ可溶分のＧＰＣにより測定される分子量分布のチャートにおいて、分子量が３００〜２５００の領域の積分値（Ｓ１）と、分子量２５００〜１５０００の領域の積分値（Ｓ２）と、分子量１５０００〜１００万の領域の積分値（Ｓ３）の比がＳ１：Ｓ２：Ｓ３＝（０．０１〜０．９５）：１．００：（１．００〜８．００）であることが好ましい。Ｓ１：Ｓ２：Ｓ３＝（０．０１〜０．９５）：１．００：（１．００〜８．００）であることにより、トナーに含有される成分がバランスよく含有しているため、低温定着性、耐オフセット性及び定着画像の高グロス化の更なる向上を達成することができる。
【手続補正３】
【補正対象書類名】明細書
【補正対象項目名】００５４
【補正方法】変更
【補正の内容】
【００５４】
上記二重結合を有する付加反応性樹脂の数平均分子量は５００以上３０００未満であるのが好ましい。付加反応性樹脂の数平均分子量が５００より小さい場合には、分子量の小さい成分が多く存在し、その浸みだしにより保存安定性が悪くなる。また、数平均分子量が３０００以上の場合には、低温定着性が低下する。
【手続補正書】
【提出日】平成21年12月18日(2009.12.18)
【手続補正１】
【補正対象書類名】特許請求の範囲
【補正対象項目名】全文
【補正方法】変更
【補正の内容】
【特許請求の範囲】
【請求項１】
所望の方向に搬送される記録媒体の表側面に形成されたトナー像に対して第１回目の加熱処理を行った後に、前記記録媒体の裏側面に形成されたトナー像に対して第２回目の加熱処理を行う定着手段と、
その定着手段における第１回目及び第２回目の各加熱処理温度を制御する定着温度制御手段と、
を備えた画像形成装置において、
前記定着温度制御手段は、前記第１回目の加熱処理時には前記記録媒体の搬送方向後端側の領域に対する加熱処理温度を他の領域よりも低く制御し、その第１回目の加熱処理時に低い加熱処理温度とした領域を、前記第２回目の加熱処理時に他の領域よりも高い加熱処理温度で加熱処理を行うようにしたことを特徴とする画像形成装置。
【請求項２】
前記記録媒体の搬送方向における先端と後端とを反転搬送させて搬送するスイッチバック手段を備え、
前記定着温度制御手段は、前記第２回目の加熱処理時に前記記録媒体の搬送方向先端側の領域に対する加熱処理温度を他の領域よりも高く制御するようにしたことを特徴とする請求項１記載の画像形成装置。
【請求項３】
前記定着温度制御手段により加熱処理温度を低く制御される前記第１回目の加熱処理時における前記記録媒体の後端側領域と、前記第２回目の加熱処理時における前記記録媒体の先端側領域とは、前記記録媒体において互いに略一致する領域に設定されていることを特徴とする請求項２記載の画像形成装置。
【請求項４】
前記記録媒体上のトナー像は、像担持体から転写されることにより形成され、
その像担持体からトナー像を転写された記録媒体が、前記像担持体における外周表面の曲率を利用して該像担持体の外周表面から分離される構成になされていることを特徴とする請求項１記載の画像形成装置。
【請求項５】
前記定着温度制御手段は、前記加熱処理温度の増減又その位置の変更を、使用環境の温度及び湿度の少なくとも一方に対応して制御する構成を備えていることを特徴とする請求項１記載の画像形成装置。
【請求項６】
像担持体上に形成されたトナー像を、媒体搬送手段により所望の方向に搬送される記録媒体の表側面に対して第１回目の転写処理を行った後に、前記記録媒体の裏側面に対して第２回目の転写処理を行う転写手段を備えた画像形成装置において、
前記記録媒体の搬送方向において前記転写手段よりも上流側に配置された前記媒体搬送手段に、前記第２回目の転写処理時に前記像担持体から前記記録媒体を離反させる極性の分離電圧を印加する分離バイアス印加手段が設けられていることを特徴とする画像形成装置。
【請求項７】
前記媒体搬送手段は、前記記録媒体の裏面側に対して画像形成を行う際に使用される両面用搬送手段であることを特徴とする請求項６記載の画像形成装置。
【請求項８】
前記分離バイアス印加手段は、前記記録媒体の搬送方向先端側の領域における非画像形成域に対して前記分離電圧を印加するように構成されていることを特徴とする請求項６記載の画像形成装置。
【請求項９】
前記分離バイアス印加手段は、直流の分離電圧を出力する構成を有していることを特徴とする請求項６記載の画像形成装置。
【請求項１０】
前記分離電圧は、前記転写手段に印加される転写電圧と逆極性に設定されていることを特徴とする請求項６記載の画像形成装置。
【手続補正２】
【補正対象書類名】明細書
【補正対象項目名】０００７
【補正方法】変更
【補正の内容】
【０００７】
上記目的を達成するため本発明にかかる画像形成装置では、所望の方向に搬送される記録媒体の表側面に形成されたトナー像に対して第１回目の加熱処理を行った後に、前記記録媒体の裏側面に形成されたトナー像に対して第２回目の加熱処理を行う定着手段と、その定着手段における第１回目及び第２回目の各加熱処理温度を制御する定着温度制御手段と、を備えた画像形成装置において、前記定着温度制御手段は、前記第１回目の加熱処理時には前記記録媒体の搬送方向後端側の領域に対する加熱処理温度を他の領域よりも低く制御し、その第１回目の加熱処理時に低い加熱処理温度とした領域を、前記第２回目の加熱処理時に他の領域よりも高い加熱処理温度で加熱処理を行うようにしている。
【手続補正３】
【補正対象書類名】明細書
【補正対象項目名】００１５
【補正方法】変更
【補正の内容】
【００１５】
このような構成を有する本発明にかかる画像形成装置によれば、使用環境の温度又は湿度に対応して変動するカール発生量に対応して、定着の加熱処理時における加熱処理温度の増減又はその位置の変更が調整されるため、使用環境にかかわらず常時良好な画像形成が行われる。
【手続補正４】
【補正対象書類名】明細書
【補正対象項目名】００１６
【補正方法】変更
【補正の内容】
【００１６】
さらに、本発明に係る画像形成装置では、像担持体上に形成されたトナー像を、媒体搬送手段により所望の方向に搬送される記録媒体の表側面に対して第１回目の転写処理を行った後に、前記記録媒体の裏側面に対して第２回目の転写処理を行う転写手段を備えた画像形成装置において、前記記録媒体の搬送方向において前記転写手段よりも上流側に配置された前記媒体搬送手段に、前記第２回目の転写処理時に前記像担持体から前記記録媒体を離反させる極性の分離電圧を印加する分離バイアス印加手段が設けられている。
【手続補正書】
【提出日】平成21年12月4日(2009.12.4)
【手続補正１】
【補正対象書類名】特許請求の範囲
【補正対象項目名】全文
【補正方法】変更
【補正の内容】
【特許請求の範囲】
【請求項１】
微細突起が５０〜３８０ｎｍのピッチで無数に配置されて成る親水性反射防止構造であって、
上記微細突起のアスペクト比が１〜１０の範囲にあると共に、
上記微細突起表面の水滴に対する接触角が９０°未満であることを特徴とする親水性反射防止構造。
【請求項２】
上記微細突起は略円形又は多角形底面を有する錐状又は錐台状をなし、底面又は底面に外接する円の直径が５０〜３８０ｎｍであることを特徴とする請求項１に記載の親水性反射防止構造。
【請求項３】
上記微細突起を構成する材料の水滴に対する接触角が９０°未満であることを特徴とする請求項１又は２に記載の親水性反射防止構造。
【請求項４】
上記微細突起を構成する材料の屈折率が２．０以下であることを特徴とする請求項１〜３のいずれか１つの項に記載の親水性反射防止構造。
【請求項５】
上記微細突起のアスペクト比が２以上であり、表面の水滴に対する接触角が７５°以下であることを特徴とする請求項１〜４のいずれか１つの項に記載の親水性反射防止構造。
【請求項６】
請求項１〜５のいずれか１つの項に記載の親水性反射防止構造を基材の少なくとも一方の面に備えていることを特徴とする親水性反射防止構造体。
【請求項７】
請求項１〜５のいずれか１つの項に記載の親水性反射防止構造を備えていることを特徴とする自動車用部品。
【手続補正２】
【補正対象書類名】明細書
【補正対象項目名】００１０
【補正方法】変更
【補正の内容】
【００１０】
すなわち、本発明は上記知見に基づくものであって、本発明の親水性反射防止構造は、微細突起が５０〜３８０ｎｍのピッチで無数に配置されて成るものであって、上記微細突起のアスペクト比が１〜１０の範囲にあると共に、上記微細突起表面の水滴に対する接触角が９０°未満であることを特徴としている。
【手続補正書】
【提出日】平成21年11月25日(2009.11.25)
【手続補正１】
【補正対象書類名】特許請求の範囲
【補正対象項目名】全文
【補正方法】変更
【補正の内容】
【特許請求の範囲】
【請求項１】
利用者が送信した第１画像を受信し、予め記憶されているテキストの中から利用者の操作に基づいて選択されたテキストを上記第１画像と合成して利用者に提供することが可能な画像取扱方法であって、
利用者が送信した第１画像を受信するステップと、
上記第１画像と、利用者が使用する言語に応じてテキストが翻訳される台詞ライブラリの中から上記利用者が選択したテキストを合成するステップと、
上記合成した画像を利用者に送信するステップと、
を備えたことを特徴とする画像取扱方法。
【請求項２】
上記合成するステップにおいて、利用者がアクセス可能なサブ画像ライブラリの中から選択した第２の画像を、上記第１の画像および上記テキストに合成することによって合成画像を生成し、
上記送信するステップにおいて、上記合成画像を送信する、
ことを特徴とする請求項１に記載の画像取扱方法。
【請求項３】
上記サブ画像ライブラリに記憶されている画像は放送局が提供するアニメやドラマの１シーンであることを特徴とする請求項２に記載の画像取扱方法。
【請求項４】
さらに、利用者のカメラが接続されたことを判定するステップと、判定の結果上記カメラが接続された場合に、上記合成した画像を上記カメラに送信するステップを有することを特徴とする請求項１に記載の画像取扱方法。
【請求項５】
上記第２画像の選択は、上記テキストに基づいて検索するステップを有することを特徴とする請求項２に記載の画像取扱方法。
【請求項６】
上記合成した画像を送信する際に、上記第２の画像および上記テキスト言語の少なくとも一方について、その出典を表す情報を送信するステップを有することを特徴とする請求項２に記載の画像取扱方法。
【請求項７】
利用者が送信した第１画像を受信し、予め記憶されているテキストの中から利用者の操作に基づいて選択されたテキストを上記第１画像と合成して利用者に提供するための画像取扱装置であって、
利用者が送信した第１画像を受信する受信部と、
利用者が使用する言語に応じて翻訳部により生成する言語テキストを有する台詞ライブラリと、
上記第１画像と、上記台詞ライブラリの中から利用者が選択した上記言語テキストを合成し、合成画像を生成する合成部と、
上記合成画像を上記利用者に送信する送信部と、
を備えたことを特徴とする画像取扱装置。
【請求項８】
上記合成部は、利用者がアクセス可能なサブ画像ライブラリの中から選択した第２の画像を、上記第１の画像および上記言語テキストに合成することによって上記合成画像を生成することを特徴とする請求項７に記載の画像取扱装置。
【請求項９】
カメラで撮影した第１画像をブログサーバーに転送して記憶し、上記ブログサーバーが提供するテキストを利用者が選択して上記第１画像と合成した合成画像を作成するための画像取扱システムであって、
上記第１画像を撮影するカメラと、
多数の利用者がアクセス可能なテキストが予め記憶されている上記ブログサーバー内の台詞ライブラリと、上記第１画像および上記台詞ライブラリの中から上記利用者が選択したテキストを合成した画像を利用者に送信する送信部とを有してなるブログサーバーと、
上記送信部から送信された画像を表示する表示部と、
を備えたことを特徴とする画像取扱システム。
【手続補正２】
【補正対象書類名】明細書
【補正対象項目名】０００７
【補正方法】変更
【補正の内容】
【０００７】
上記目的を達成するため第１の発明に係わる画像取扱方法は、利用者が送信した第１画像を受信し、予め記憶されているテキストの中から利用者の操作に基づいて選択されたテキストを上記第１画像と合成して利用者に提供することが可能な画像取扱方法であって、利用者が送信した第１画像を受信するステップと、上記第１画像と、利用者が使用する言語に応じてテキストが翻訳される台詞ライブラリの中から上記利用者が選択したテキストを合成するステップと、上記合成した画像を利用者に送信するステップと、を備える。
【手続補正３】
【補正対象書類名】明細書
【補正対象項目名】０００８
【補正方法】変更
【補正の内容】
【０００８】
第２の発明に係わる画像取扱方法は、上記第１の発明において、上記合成するステップにおいて、利用者がアクセス可能なサブ画像ライブラリの中から選択した第２の画像を、上記第１の画像および上記テキストに合成することによって合成画像を生成し、上記送信するステップにおいて、上記合成画像を送信する。
また、第３の発明に係わる画像取扱方法は、上記第２の発明において、上記サブ画像ライブラリに記憶されている画像は放送局が提供するアニメやドラマの１シーンである。
さらに、第４の発明に係わる画像取扱方法は、上記第１の発明において、利用者のカメラが接続されたことを判定するステップと、判定の結果上記カメラが接続された場合に、上記合成した画像を上記カメラに送信するステップを有する。
さらに、第５の発明に係わる画像取扱方法は、上記第２の発明において、上記第２画像の選択は、上記テキストに基づいて検索するステップを有する。
さらに、第６の発明に係わる画像取扱方法は、上記第２の発明において、上記合成した画像を送信する際に、上記第２の画像および上記テキスト言語の少なくとも一方について、その出典を表す情報を送信するステップを有する
【手続補正４】
【補正対象書類名】明細書
【補正対象項目名】０００９
【補正方法】変更
【補正の内容】
【０００９】
上記目的を達成するため第７の発明に係わる画像取扱装置は、利用者が送信した第１画像を受信し、予め記憶されているテキストの中から利用者の操作に基づいて選択されたテキストを上記第１画像と合成して利用者に提供するための画像取扱装置であって、利用者が送信した第１画像を受信する受信部と、利用者が使用する言語に応じて翻訳部により生成する言語テキストを有する台詞ライブラリと、上記第１画像と、上記台詞ライブラリの中から利用者が選択した上記言語テキストを合成し、合成画像を生成する合成部と、上記合成画像を上記利用者に送信する送信部と、を備える。
また、第８の発明に係わる画像取扱装置は、上記第７の発明において、上記合成部は、利用者がアクセス可能なサブ画像ライブラリの中から選択した第２の画像を、上記第１の画像および上記言語テキストに合成することによって上記合成画像を生成する。
【手続補正５】
【補正対象書類名】明細書
【補正対象項目名】００１０
【補正方法】変更
【補正の内容】
【００１０】
上記目的を達成するため第９の発明に係わる画像取扱システムは、カメラで撮影した第１画像をブログサーバーに転送して記憶し、上記ブログサーバーが提供するテキストを利用者が選択して上記第１画像と合成した合成画像を作成するための画像取扱システムであって、上記第１画像を撮影するカメラと、多数の利用者がアクセス可能なテキストが予め記憶されている上記ブログサーバー内の台詞ライブラリと、上記第１画像および上記台詞ライブラリの中から上記利用者が選択したテキストを合成した画像を利用者に送信する送信部とを有してなるブログサーバーと、上記送信部から送信された画像を表示する表示部と、を備える。